(57)【特許請求の範囲】
【請求項１】
扉の外面側から内面側へ延びて時計方向と反時計方向との回転運動を反復可能な軸部と、前記外面側にあって前記軸部を前記回転運動させることが可能な操作部と、前記内面側にあって前記軸部の前記回転運動に伴って回転して前記扉を固定枠に対して施錠状態と解錠状態とにすることが可能な止め金具とを有する施錠装置であって、
前記軸部は前記操作部から前記内面側へ延びるスリーブ状部分の内側において前記回転運動を反復するものであり、
前記止め金具は前記スリーブ状部分に外側から重なるフランジ付きナットにおける円筒状部の外周面に周方向へ摺動可能に嵌合するものであって、前記施錠状態において前記固定枠に係合し、前記解錠状態において前記固定枠から離脱するアームを有し、
前記軸部と前記止め金具との間には、前記内面側へ延びた前記軸部の先端部分において前記軸部の径方向へ延びていて、前記先端部分と前記止め金具とに固定され、前記軸部の前記回転運動に伴って前記止め金具を回転させることが可能であるブリッジ部材が介在していることを特徴とする前記施錠装置。
【請求項２】
前記軸部は、円柱状の大径部と、前記大径部から軸方向へ延びて前記先端部分を形成する角柱状部とを有するものであって、前記ブリッジ部材はそれに形成された角孔において前記角柱状部に回転不能に嵌合している請求項１記載の施錠装置。
【請求項３】
前記止め金具は、それに形成された透孔において前記フランジ付きナットの円筒状部に嵌合し、前記透孔の周縁部が前記スリーブ状部分に嵌合しているスペーサ部材と、前記フランジ付きナットのフランジ部とによって前記軸方向から挟まれて前記軸部の周方向へ摺動可能である請求項１または２記載の施錠装置。
【請求項４】
前記止め金具は、前記アームと交差する方向へ延びていて前記扉の閉じているときに前記固定枠に離脱可能に係合するロッド部材を取り付け可能に形成されている請求項１−３のいずれかに記載の施錠装置。
【請求項５】
前記操作部が前記施錠装置の常態において前記軸部に対して固定されている態様のハンドルおよび前記施錠装置の常態において前記軸部に対して着脱できる態様のハンドルのいずれかを含む請求項１−４のいずれかに記載の施錠装置。
【発明の詳細な説明】
【技術分野】
【０００１】
この発明は、扉を固定枠に対して施錠するための施錠装置に関する。
【背景技術】
【０００２】
扉の外側でハンドルを回転させると、扉の内側にある止め金具が回転して固定枠に係合し、扉を固定枠に対して施錠状態にすることのできる施錠装置は周知である。また、ハンドルを回転させると、扉の内側にあるロッドが扉の縦方向および／または横方向に動いて、固定枠に形成された嵌合孔に退出可能に進入して扉を施錠状態にすることができる施錠装置も周知である。
【０００３】
例えば、特開平８−１７０４６６号公報（特許文献１）に記載の扉用ハンドルでは、操作ハンドルから扉の内側へ延びた軸部の先端に形成された角柱状部に対して嵌合する止め金具がその角柱状部からの脱落を防止する小ねじを介して取り付けられている。その小ねじは軸部の先端に形成されたねじ穴に進入している。止め金具は、それ自体が固定枠に係合して扉を施錠状態にすることができるものであることに加えて、扉の上下方向へ延びる一対のロッドが取り付けられていて、ハンドルの回転に伴ってそれらのロッドが上下動することによっても扉を施錠状態にすることができる。
【先行技術文献】
【特許文献】
【０００４】
【特許文献１】特開平８−１７０４６６号公報
【発明の概要】
【発明が解決しようとする課題】
【０００５】
従来例の施錠装置では、ハンドルから扉の内側へ延びた大径の軸部の先端に形成された角柱状部に止め金具が固定されていて、その固定には小ねじが使用されている。このような施錠装置では、施錠状態にある扉に地震等によって激しい振動が加わるとか、解錠操作をすることなく扉を無理に開こうとすることが繰り返されるとかということがあると、小径の角柱部分や小ねじには止め金具を介してそれらを変形させる力が作用して、施錠装置の一部が破損したり、解錠不能になったりするということがある。
【０００６】
この発明が課題とするところは、扉の激しい振動にも耐えうるように改良された施錠装置の提供である。
【課題を解決するための手段】
【０００７】
前記課題を解決するために、この発明が対象とするのは、扉の外面側から内面側へ延びて時計方向と反時計方向との回転運動を反復可能な軸部と、前記外面側にあって前記軸部を前記回転運動させることが可能な操作部と、前記内面側にあって前記軸部の前記回転運動に伴って回転して前記扉を固定枠に対して施錠状態と解錠状態とにすることが可能な止め金具とを有する施錠装置である。
【０００８】
かかる施錠装置において、前記軸部は前記操作部から前記内面側へ延びるスリーブ状部分の内側において前記回転運動を反復するものであり、前記止め金具は前記スリーブ状部分に外側から重なるフランジ付きナットにおける円筒状部の外周面に周方向へ摺動可能に嵌合するものであって、前記施錠状態において前記固定枠に係合し、前記解錠状態において前記固定枠から離脱するアームを有し、前記軸部と前記止め金具との間には、前記内面側へ延びた前記軸部の先端部分において前記軸部の径方向へ延びていて、前記先端部分と前記止め金具とに固定され、前記軸部の前記回転運動に伴って前記止め金具を回転させることが可能であるブリッジ部材が介在していることを特徴とする。
【０００９】
この発明の実施態様の一つにおいて、前記軸部は、円柱状の大径部と、前記大径部から軸方向へ延びて前記先端部分を形成する角柱状部とを有するものであって、前記ブリッジ部材はそれに形成された角孔において前記角柱状部に回転不能に嵌合している。
【００１０】
この発明の実施態様の一つにおいて、前記止め金具は、それに形成された透孔において前記フランジ付きナットの円筒状部に嵌合し、前記透孔の周縁部が前記スリーブ状部分に嵌合しているスペーサ部材と、前記フランジ付きナットのフランジ部とによって前記軸方向から挟まれて前記軸部の周方向へ摺動可能である。
【００１１】
この発明の実施態様の一つにおいて、前記止め金具は、前記アームと交差する方向へ延びていて前記扉の閉じているときに前記固定枠に離脱可能に係合するロッド部材を取り付け可能に形成されている。
【００１２】
この発明の実施態様の一つにおいて、前記操作部が前記施錠装置の常態において前記軸部に対して固定されている態様のハンドルおよび前記施錠装置の常態において前記軸部に対して着脱できる態様のハンドルのいずれかを含む。
【発明の効果】
【００１３】
この発明に係る施錠装置では、扉の内側へ延びるスリーブ状部分の内側で軸部が回転運動を反復し、止め金具は、そのスリーブ状部分に外側から重なるフランジ付きナットの円筒状部の外周面に対して周方向へ摺動可能に嵌合している。その止め金具は軸部と止め金具との間に延びるブリッジ部材を介して軸部とともに回転運動する。止め金具のアームが固定枠に係合して施錠位置にあるときに扉が振動すると、その扉はフランジ付きナットの円筒状部の外周面に嵌合している止め金具と固定枠とによって支えられるので、その振動によって軸部が損傷するという問題の発生を防ぐことができる。
【図面の簡単な説明】
【００１４】
図面は、この発明の特定の実施の形態を示し、発明に不可欠な構成ばかりでなく、選択的および好ましい実施の形態を含む。
【図１】使用状態にある施錠装置の部分破断斜視図。
【図２】一部分を断面図で示す図１の施錠装置の側面図。
【図３】図１の施錠装置を扉の外側から見たときの組立図。
【図４】図１の施錠装置を扉の内側から見たときの組立図。
【図５】実施態様の一例を示す施錠装置の部分破断斜視図。
【図６】一部分を断面図で示す図５の施錠装置の側面図。
【図７】扉の外側から見たときの図５の施錠装置の組立図。
【図８】（ａ）は扉の内側から見たときの図５の施錠装置の組立図、（ｂ）は（ａ）に図示の止め金具とブリッジ部材との斜視図。
【発明を実施するための形態】
【００１５】
添付の図面を参照してこの発明に係る施錠装置の詳細を説明すると、以下のとおりである。
【００１６】
図１は、この発明に係る施錠装置の一例であるハンドル付き施錠装置１０の使用状態を示す部分破断斜視図である。施錠装置１０は、固定枠５に対して蝶番（図示せず）を介して開閉する扉６に取り付けられている。ただし、図では、固定枠５と扉６との一部分のみが示されている。施錠装置１０は、扉６の外面側に固定されている取付け部材１１と取付け部材１１に対して回転運動を往復させることが可能なハンドル１３とを含む操作部１４と、ハンドル１３とともに回転運動をして固定枠５に対する施錠位置と解錠位置との間を往復する止め金具１５とを有する。その止め金具１５には、第１アーム１６と、一対の第２アーム１７ａ，１７ｂとがある。第１アーム１６は固定枠５における縁部５ａの後方の施錠位置にあって、扉６が施錠状態にある。一対の第２アーム１７ａ，１７ｂそれぞれには、ロッド部材１８ａ，１８ｂが取り付けられている。ロッド部材１８ａ，１８ｂのそれぞれは、扉６の上下方向へ延びていて、固定枠５におけるロッド挿入孔１９ａ，１９ｂのそれぞれに退出可能に進入している。図示例においてハンドル１３を矢印Ａで示す反時計方向へ回転させると、止め金具１５も反時計方向Ａへ回転して、第１アーム１６の固定枠５に対する係合が解けるとともに、ロッド部材１８ａ，１８ｂのそれぞれが挿入孔１９ａ，１９ｂから退出して、施錠装置１０および扉６が解錠状態になる。
【００１７】
図２，３は、図１における施錠装置１０の側面図と、施錠装置１０の組立図である。ただし、図２においては、施錠装置１０の一部分が断面図で示されている。これらの図において、扉６の外面側に位置する操作部１４の取付け部材１１は扉６の内面側に延びるスリーブ状部分２０を有し、ハンドル１３はスリーブ状部分２０の内側において扉６の内面側へ延びる軸部２１を有する。軸部２１は、スリーブ状部分２０に周方向へ摺動可能に嵌合している大径部２１ａと、スリーブ状部分２０から延出している角柱状部２１ｂ（図４参照）とを有する。取付け部材１１と扉６との間にはゴムパッキング２２が介在し、これら扉６とゴムパッキング２２とには、スリーブ状部分２０のための挿入孔２３，２４が形成されている。扉６の内側では、スリーブ状部分２０に対してリングワッシャー２６、リングワッシャー２６を覆うスペーサ部材２７、止め金具１５およびフランジ付きの取付けナット２８が嵌合している。軸部２１における角柱状部２１ｂに対しては、ブリッジ部材３１とワッシャー３２とがそれぞれに形成された角孔において嵌合して回転不能な状態にある。角柱状部２１ｂの先端にはスプリングワッシャー付きの抜け止め用ボルト３３がワッシャー３４を介して螺合している。
【００１８】
図４は、施錠装置１０を扉６の内側から見たときの組立図であるが、部材の一部が切り欠かれた状態で示されている。扉６とゴムパッキング２２とには、操作部１４の取付け部材１１におけるスリーブ状部分２０と、扉６に対する取付け部材１１の回転止めとなる突起部１４ａのための挿入孔２３，２４が形成されている。スリーブ状部分２０の内側には施錠装置１０の常態においてハンドル１３と一体である軸部２１の大径部２１ａが回転可能に進入している。大径部２１ａの先端には角柱状部２１ｂが形成されている。施錠装置１０の常態において軸部２１と一体であるハンドル１３は、施錠装置１０を分解するときに取付け部材１１から外すことができる。
【００１９】
このように組み立てられている施錠装置１０において、取付けナット２８は円筒状部３７と平面形状が六角形のフランジ部３８とを有し、これらの内周面に形成された雌ねじ３９は、スリーブ状部分２０の外周面に形成されている雄ねじ２０ａに螺合している。円筒状部３７は、止め金具１５に形成された透孔４１に進入し、フランジ部３８はスペーサ部材２７と協働して止め金具１５を摺動可能に軸方向から狭持している。止め金具１５は、円筒状部３７の外周面に対してその周方向へ摺動可能な状態にある。したがって、止め金具１５は取付けナット２８を介してスリーブ状部分２０の周方向へ回転可能な状態にある。ブリッジ部材３１は、軸部２１の径方向へ延びていて、両端部４２ａ，４２ｂと、軸部２１の角柱状部２１ｂに嵌合する角孔４３とを有する。角柱状部２１ｂに嵌合しているときのブリッジ部材３１では、両端部４２ａ，４２ｂのそれぞれが、止め金具１５の第２アーム１７ａ，１７ｂそれぞれに形成されている角孔部４６ａ，４６ｂに納まる。角孔部４６ａ，４６ｂは、止め金具１５をその厚さ方向において貫通し、ブリッジ部材３１の幅よりもやや大きい幅を有する。
【００２０】
図１において、ハンドル１３を反時計方向Ａへ回転させると、軸部２１が反時計方向Ａへ回転する。角柱状部２１ｂに嵌合しているブリッジ部材３１もまた反時計方向Ａへ回転し、ブリッジ部材３１における両端部４２ａ，４２ｂが止め金具１５における角孔部４６ａ，４６ｂの側壁部分４７ａ，４７ｂを反時計方向Ａに押圧して、止め金具１５を反時計方向Ａに回転させる。すると、止め金具１５における第１アーム１６の固定枠５に対する係合（図１参照）が解けて扉６が解錠状態になる。
【００２１】
解錠状態にある扉６を施錠状態にするには、扉６を閉じた後にハンドル１３を時計方向へ回転させればよい。ハンドル１３を時計方向へ回転させると、ブリッジ部材３１が時計方向へ回転しながら止め金具１５を時計方向へ回転させて、止め金具１５の第１アーム１６を固定枠５に対して図１の如く係合させることができる。
【００２２】
施錠装置１０は、ロッド部材１８ａ，１８ｂが取り付けられていない状態で使用することのできるものであるが、ロッド部材１８ａ，１８ｂが図１の如く取り付けられている場合の施錠装置１０は、次のように作用する。図１において、ハンドル１３を操作して止め金具１５を反時計方向Ａへ回転させると、止め金具１５における第２アーム１７ａ，１７ｂのそれぞれも反時計方向Ａへ回転する。そのときに、図１における上方のロッド部材１８ａは下降して、その上端部が挿入孔１９ａから退出する。下方のロッド部材１８ｂは上昇して、その下端部が挿入孔１９ｂから退出する。かくして、第２アーム１７ａ，１７ｂも固定枠５に対する係合が解けて、扉６は、それを開くことが可能になる。第１アーム１６を介して固定枠５に対して施錠されている扉６や第１アーム１６と第２アーム１７ａ，１７ｂとを介して固定枠５に対して施錠されている扉６は、解錠操作をすることなく無理に開こうとする操作や、地震等によって激しく振動することがある。そのような場合の止め金具１５は、閉じている扉６が内面から外面へ向かう方向、すなわち扉６が開く方向へ振動すると、スペーサ部材２７および／または取付けナット２８のフランジ部３８が止め金具１５の透孔４１の周縁近傍に衝接して扉６の動きが止められる。扉６が縦方向や横方向へ振動するときには、扉６と一体の取付けナット２８における円筒状部３７が止め金具１５の透孔４１の周縁近傍に衝接して扉６の動きが止められる。このような止め金具１５を含む施錠装置１０は、止め金具が軸部における角柱状部に嵌合していたり、止め金具が小ねじによってその角柱状部に固定されていたりする従来例の施錠装置と比較して、角柱状部２１ｂに損傷を与えることが少ないものになる。なお、角柱状部２１ｂは通常正方形の端面４８（図４参照）を有し、その端面４８にボルト３３を螺合させるためのねじ穴４９を有する。角柱状部２１ｂにおける対角線の長さは、大径部２１ａの直径と同じであるかその直径よりも小さく、角柱状部２１ｂにおける一辺の長さはその直径よりも小さい。したがって、角柱状部２１ｂは大径部２１ａとの比較において小径部と呼ぶこともできる。
【００２３】
図５は、この発明に係る施錠装置の一例であるハンドル着脱式施錠装置２１０の使用状態を示す図である。施錠装置２１０における操作部２１４は、扉６に固定されている取付け部材２１１と、取付け部材２１１に形成されている鍵穴２６１に挿抜可能な先端部２６２を有するハンドル２１３とを含んでいる。ハンドル２１３は、先端部２６２を鍵穴２６１に挿入して反時計方向Ａへ所要角度、例えば９０°回転させると、施錠状態にある扉６の内面側にあって固定枠５の縁部５ａに係合している止め金具２１５も反時計方向Ａへ回転して、縁部５ａから離脱し、扉６が解錠状態となる。９０°回転させたハンドル２１３の先端部２６２は取付け部材２１１からの抜脱が不能な位置にあって、そのハンドル２１３を引っ張れば扉６が開く。なお、この発明において施錠装置２１０がハンドル着脱式のものであるというときには、施錠装置２１０の通常の使用状態において、ハンドル２１３が操作部２１４に対して挿抜できるものであることを意味している。
【００２４】
図６は、図５の施錠装置２１０の側面図であるが、一部分が断面図で示され、ハンドル２１３の一部分が省略して示されている。取付け部材２１１は、扉６の内面側へ延びるスリーブ状部分２２０を有する。スリーブ状部分２２０の内側には、軸部２２１がその周方向へ摺動可能かつ抜脱不能な状態で嵌合している。軸部２２１は、スリーブ状部分２２０に嵌合している大径部２２１ａと、スリーブ状部分２２０から扉６の内面側に向かって延出している角柱状部２２１ｂとを有する。大径部２２１ａにおいて、鍵穴２６１と対向する部位は、鍵の先端部２６２に対して相補形状となる鍵受容部（図示せず）が形成されている。先端部２６２と鍵受容部とが組み合わせられることによって、ハンドル２１３は、大径部２２１ａを回転させることができる。
【００２５】
スリーブ状部分２２０には、その外周面にリングワッシャー２２６、スペーサ部材２２７、止め金具２１５および取付けナット２２８が嵌合している。スリーブ状部分２２０から延出している軸部２２１のうちの角柱状部２２１ｂ（図８参照）に対しては、軸部２２１が周方向へ回転するときの回転角度を規制する円盤２６３と、ブリッジ部材２３１と、ワッシャー２３２とがそれぞれに形成された角孔２６３ａ（図８参照）、２４３，２３２ａにおいて嵌合している。角柱状部２２１ｂの先端にはスプリングワッシャー付きの抜け止め用ボルト２３３がワッシャー２３４を介して螺合している。
【００２６】
図７と図８（ａ）とは、施錠装置２１０の組立図であって、図７の施錠装置２１０は、扉６の外面側から見たときの状態にあり、図８（ａ）の施錠装置２１０は扉６の内面側から見たときの状態にある。図８（ｂ）は、図８（ａ）における止め金具２１５とブリッジ部材２３１との斜視図であって、止め金具２１５の後記角孔部２４６とブリッジ部材２３１の端部２４２ａとの位置関係を示している。ただし、図８（ａ）に示されている取付けナット２２８の図示は省略されている。取付け部材２１１におけるスリーブ状部分２２０は外周面の一部分２２０ａが平坦面を成している。扉６に形成されている透孔２２４の形状は、スリーブ状部分２２０の形状と相補的なもので、透孔２２４に挿入されたスリーブ状部分２２０は、時計方向にも反時計方向にも回転することがない。
【００２７】
このように組み立てられている施錠装置２１０において、取付けナット２２８は円筒状部２３７と平面形状が六角形のフランジ部２３８とを有し、これらの内周面に形成された雌ねじ２３９は、スリーブ状部分２２０の外周面に形成されている雄ねじ２２０ｂに螺合している。円筒状部２３７は止め金具２１５に形成された透孔２４１に進入し、フランジ部２３８はスペーサ部材２２７と協働して止め金具２１５を摺動可能に軸方向から狭持している。止め金具２１５はまた、円筒状部２３７の外周面に対してその周方向へ摺動可能な状態にある。ブリッジ部材２３１は、軸部２２１の径方向へ延びていて、両端部２４２ａ，２４２ｂと、両端部２４２ａ，２４２ｂの一方である端部２４２ｂに形成されていて角柱状部２２１ｂに嵌合する角孔２４３とを有する。角柱状部２２１ｂに嵌合しているときのブリッジ部材２３１では、両端部２４２ａ，２４２ｂの内のもう一方の端部２４２ａが、止め金具２１５のアーム２１６に形成されている角孔部２４６（図８（ｂ）を併せて参照）に納まる。
【００２８】
施錠装置２１０は、図５において、取付け部材２１１の鍵穴２６１にハンドル２１３を挿入して反時計方向Ａへ回転させると、軸部２２１が反時計方向Ａへ回転しながら、角柱状部２２１ｂに嵌合しているブリッジ部材２３１を反時計方向Ａへ回転させる。そのブリッジ部材２３１における両端部２４２ａ，２４２ｂのうちの一方の端部２４２ａは、止め金具２１５における角孔部２４６の側壁部分２４６ａを反時計方向Ａに押圧して，止め金具２１５を反時計方向Ａに回転させる。すると、止め金具２１５におけるアーム２１６の固定枠５に対する係合（図５参照）が解けて扉６が解錠状態となる。
【００２９】
この施錠装置２１０においても、止め金具２１５は、取付け部材２１１における径の大きいスリーブ状部分２２０の外側に位置する取付けナット部材２２８の円筒状部２３７に周方向へ摺動可能に嵌合している。また、扉６の前後方向においては、止め金具２１５がスペーサ部材２２７と取付けナット２２８のフランジ部２３８とに狭持されている。施錠状態にある扉６が激しく振動しても、扉６と一体になって振動する角柱状部２２１ｂに損傷を与えることがない。
【符号の説明】
【００３０】
５    固定枠
６    扉
１０    施錠装置
１３    ハンドル
１４    操作部
１５    止め金具
１６    アーム（第１アーム）
１８ａ    ロッド部材
１８ｂ    ロッド部材
２０    スリーブ状部分
２１    軸部
２１ａ    大径部
２１ｂ    角柱状部
２７    スペーサ部材
２８    取付けナット
３１    ブリッジ部材
３７    円筒状部
３８    フランジ部
４１    透孔
４３    角孔
２１０    施錠装置
２１３    ハンドル
２１４    操作部
２１５    止め金具
２１６    アーム
２２０    スリーブ状部分
２２１    軸部
２２１ａ    大径部
２２１ｂ    角柱状部
２２７    スペーサ部材
２２８    取付けナット
２３１    ブリッジ部材
２３７    円筒状部
２３８    フランジ部
２４１    透孔
２４３    角孔
【図１】
0005937049.tif 000002
【図２】
0005937049.tif 000003
【図３】
0005937049.tif 000004
【図４】
0005937049.tif 000005
【図５】
0005937049.tif 000006
【図６】
0005937049.tif 000007
【図７】
0005937049.tif 000008
【図８】
0005937049.tif 000009